(57)【特許請求の範囲】
【請求項１】
互いに対向する２組の辺部（第一辺部と第二辺部とが対向し、第三辺部と第四辺部とが対向する。）を有する略方形の底面部と、底面部の第一辺部から上方へ起立した第一側面部と、底面部の第二辺部から上方へ起立した第二側面部と、底面部の第三辺部から上方へ起立した第三側面部と、底面部の第四辺部から上方へ起立した第四側面部とが、所定形状に裁断された１枚の板紙を折り曲げることによって形成される組立式の紙製容器であって、
前記板紙の展開時において、
底面部と第一側面部との間に配されて、底面部の第一辺部に沿った第一下側折曲部と、
底面部と第二側面部との間に配されて、底面部の第二辺部に沿った第二下側折曲部と、
第一側面部の両脇に配されて、略三角形状を為す１対の第一連結部と、
第三側面部及び第四側面部のいずれにも連続しない状態で１対の第一連結部のさらに外側に設けられた１対の第一固定部と、
第二側面部の両脇に配されて、略三角形状を為す１対の第二連結部と、
第三側面部及び第四側面部のいずれにも連続しない状態で１対の第二連結部のさらに外側に設けられた１対の第二固定部と
が設けられ、
底面部と第三側面部との境界線における少なくとも１つの区間が底面部側へ凹んで形成されることにより、底面部にその内側に凹んだ第三下側凹部が形成されるとともに、第三側面部に底面部の第三下側凹部側へ突出した第三下側凸部が形成され、底面部と第三側面部との境界線のうち第三下側凹部を形成する区間で底面部と第三側面部とが切り離され、
底面部と第四側面部との境界線における少なくとも１つの区間が底面部側へ凹んで形成されることにより、底面部にその内側に凹んだ第四下側凹部が形成されるとともに、第四側面部に底面部の第四下側凹部側へ突出した第四下側凸部が形成され、底面部と第四側面部との境界線のうち第四下側凹部を形成する区間で底面部と第四側面部とが切り離された状態とされ、
組み立てる際には、
第一側面部を底面部及び第一下側折曲部の上面側に折り返して、第二側面部を底面部及び第二下側折曲部の上面側に折り返すとともに、第一側面部を第一下側折曲部に、第二側面部を第二下側折曲部に、１対の第一固定部及び第二固定部をその下側に位置する第三側面部又は第四側面部にそれぞれ接着する側面部折返工程と、
第一下側折曲部及び第二下側折曲部のみを下向きに折り曲げることにより、第一側面部及び第二側面部の全体をそれぞれ第一下側折曲部及び第二下側折曲部の下縁から上向きに起立させるとともに、第三側面部及び第四側面部も連動して起立させる側面部起立工程と
を経て行い、
組立後においては、
底面部よりも下方となる第一側面部と第一下側折曲部との重なり部分が、底面部の下方へ突き出た第一脚部とされ、
底面部よりも下方となる第二側面部と第二下側折曲部との重なり部分が、底面部の下方へ突き出た第二脚部とされ、
第三側面部における第三下側凸部が底面部の下方へ突き出た第三脚部とされ、
第四側面部における第四下側凸部が底面部の下方へ突き出た第四脚部とされる
ことを特徴とする紙製容器。
【請求項２】
前記板紙の展開時において、
第一側面部の外側に、第一側面部に沿った第一上側折返部が設けられ、第一上側折返部の両脇を形成する１対の側縁のそれぞれに、第一上側折返部の内側に凹んで形成された第一上側凹部が設けられ、
第二側面部の外側に、第二側面部に沿った第二上側折返部が設けられ、第二上側折返部の両脇を形成する１対の側縁のそれぞれに、第二上側折返部の内側に凹んで形成された第二上側凹部が設けられ、
第三側面部の外側に、第三側面部に沿った第三上側折返部が設けられ、第三上側折返部の両脇を形成する１対の側縁のそれぞれに、第三上側折返部の外側に突出して形成された第三上側凸部が設けられ、
第四側面部の外側に、第四側面部に沿った第四上側折返部が設けられ、第四上側折返部の両脇を形成する１対の側縁のそれぞれに、第四上側折返部の外側に突出して形成された第四上側凸部が設けられ、
組み立てる際には、
第一上側折返部を第一側面部の上面側に折り返して、第二上側折返部を第二側面部の上面側に折り返すとともに、第一上側折返部を第一側面部に、第二上側折返部を第二側面部にそれぞれ接着する上側折返部折返工程を、側面部折返工程の前に設け、
側面部折返工程で第一側面部を底面部及び第一下側折曲部の上面側に折り返す際には、第一側面部を第一上側折返部と一緒に折り返し、
側面部折返工程で第二側面部を底面部及び第二下側折曲部の上面側に折り返す際には、第二側面部を第二上側折返部と一緒に折り返すようにし、
組立後においては、
第一上側折返部が、第一側面部と第一上側折返部との境界線を折り線として下向きに折り返されて第一側面部の内面に重ねられ、
第二上側折返部が、第二側面部と第二上側折返部との境界線を折り線として下向きに折り返されて第二側面部の内面に重ねられ、
第三上側折返部が、第三側面部と第三上側折返部との境界線を折り線として下向きに折り返されて第三側面部の内面に重ねられるとともに、第三側面部の両脇に設けられた１対の第三上側凸部が、第三上側折返部と第三上側凸部との境界線を折り線としてそれぞれ第一側面部及び第二側面部の内面に沿うよう折り曲げられて第一上側凹部及び第二上側凹部に嵌め込まれ、
第四上側折返部が、第四側面部と第四上側折返部との境界線を折り線として下向きに折り返されて第四側面部の内面に重ねられるとともに、第四側面部の両脇に設けられた１対の第四上側凸部が、第四上側折返部と第四上側凸部との境界線を折り線としてそれぞれ第一側面部及び第二側面部の内面に沿うよう折り曲げられて第一上側凹部及び第二上側凹部に嵌め込まれる
請求項１記載の紙製容器。
【請求項３】
側面部折返工程において、第一側面部と第一下側折曲部とを第一下側折曲部の両端部近傍のみで接着し、第二側面部と第二下側折曲部とを第二下側折曲部の両端部近傍のみで接着する請求項１又は２記載の紙製容器。
【請求項４】
組立後において、第一側面部、第二側面部、第三側面部及び第四側面部が、それぞれ底面部に対して垂直となる位置から外側に傾いて形成される請求項１〜３いずれか記載の紙製容器。
【請求項５】
組立後において、第一側面部、第二側面部、第三側面部及び第四側面部が、それぞれ底面部に対して垂直となる位置から内側に傾いて形成される請求項１〜３いずれか記載の紙製容器。
【発明の詳細な説明】
【技術分野】
【０００１】
本発明は、所定形状に裁断された１枚の板紙の各部を折り曲げることによって形成された組立式の紙製容器に関する。
【背景技術】
【０００２】
法事などの慶弔事の際や、祭りや花見などのイベントの際に出される弁当を詰める弁当箱として、近年、所定形状に裁断された１枚の板紙の各部を折り曲げることによって形成された組立式の紙製容器と、紙製容器に収容された樹脂製トレーとからなるものが採用されることが多くなっている。この種の弁当箱は、製造コストが安いことに加えて、使用後にそのまま廃棄することができるので、仕出し屋の回収コストや洗浄コストを削減することができるからである。また、焼却処分が容易であり、環境に対する負荷を最小限に留めることができることも、この種の弁当箱が普及してきた要因である。
【０００３】
ところが、従来の組立式の紙製容器は、１枚の板紙の各部を折り曲げて形成するという制約から、上面が解放された単純な箱状（矩形の底面部と、底面部の各辺部から起立する４つの側面部とからなる形状）のものが殆どであり、見た目の豪華さや、弁当箱としての機能性に難があるものが多かった。このため、弁当の見た目の豪華さや、弁当箱としての機能性を向上させるため、弁当箱に使用される紙製容器に様々な工夫が施されるようになってきている。
【０００４】
例えば、紙製容器の各側面部を外側に傾斜させ、紙製容器の開口部を底面部よりも広く形成したものが提案されている（例えば、特許文献１）。これにより、弁当箱を大きく見えるようにして、それに入れられた食べ物の量を実際よりも多く豪華に見せることが可能になる。また、紙製容器の側面部の上縁から内側下向きに折り返した部分で側面部の内側に内壁を形成し、該内壁に設けた段に樹脂製トレーの縁を掛けることができるようにしたものも提案されている（例えば、特許文献２）。これにより、紙製容器の内部における高い位置で樹脂製トレーを支持する（弁当箱を上げ底する）ことができるので、やはり、それに入れられた食べ物の量を実際よりも多く豪華に見せることが可能になる。
【０００５】
しかし、特許文献１や特許文献２の紙製容器は、底面部を載置面に直接設置するものであったため、底面部の下に指を入れにくく、持ち運びしにくいという欠点があった。紙製容器の持ち運びを容易とするためには、紙製容器の側面部に把手や指掛け穴を設けるなどの工夫を施すこともできるが、紙製容器の見た目が悪くなる上、側面部の強度を維持しながら１枚の板紙で把手や指掛け穴を設けることは困難である。また、特許文献１や特許文献２の紙製容器は、底面部の前面が載置面と接触しているため、載置面に汁などがこぼれたような場合には、紙製容器の底面部が濡れるなどの欠点があった。紙製容器は、水に濡れるとふやけて破れるおそれがある。
【０００６】
このような実状に鑑みてか、これまでには、紙製容器の底面部に切込みを設け、紙製容器の側面部の上縁から内側下向きに折り返した部分の先端を前記切込みから底面部の下方に突出させ、その突出した部分を紙製容器の脚部として利用できるようにしたものも提案されている（例えば、特許文献３）。これにより、弁当箱の載置面に汁などがこぼれたような場合であっても、紙製容器の底面部が濡れないようにすることが可能になる。また、紙製容器の底面部をその載置面よりも浮かせることができるので、弁当箱の下に指を入れやすく、弁当箱が持ち運びしやすくなるという利点もある。
【０００７】
しかし、特許文献３の紙製容器は、底面部に切込みを設けなければならないため、底面部の強度を維持することが困難である。また、特許文献３の紙製容器は、底面部に切込みを設ける関係上、脚部を局所的にしか形成することができないことに加えて、板紙の１枚分の厚さでしか脚部を形成することができないため、脚部自身の強度を高めることも困難である。さらに、特許文献３の紙製容器は、脚部が紙製容器の見た目を損なわせるという欠点もある。仕出し弁当など、比較的高級な弁当を詰めるための弁当箱には、紙製容器を使用したものであっても、高級感が要求される。
【先行技術文献】
【特許文献】
【０００８】
【特許文献１】特開平１０−０１６９４０号公報（図７）
【特許文献２】特開２０００−２３８７７９号公報（図４）
【特許文献３】特開平０７−２９１２５５号公報（図１）
【発明の概要】
【発明が解決しようとする課題】
【０００９】
本発明は、上記課題を解決するためになされたものであり、仕出し弁当など比較的高級な弁当を詰める弁当箱として好適に使用することのできる紙製容器を提供するものである。具体的には、それに入れられた食べ物の量を実際よりも多く豪華に見せることができる紙製容器を提供することを目的とする。また、その底面部の下方に設けられた脚部によって底面部を載置面から浮かせて支持することができ、底面部の下側に指を入れて容易に持ち運びできるとともに、載置面に汁などがこぼれても底面部が濡れることのない紙製容器を提供することも本発明の目的である。さらに、見た目に優れ、高級感を醸し出すことも容易な紙製容器を提供することも本発明の目的である。さらにまた、紙製容器の本体の強度だけでなく、脚部自身の強度を高く維持することのできる紙製容器を提供することも本発明の目的である。
【課題を解決するための手段】
【００１０】
上記課題は、
互いに対向する２組の辺部（第一辺部と第二辺部とが対向し、第三辺部と第四辺部とが対向する。）を有する略方形の底面部と、底面部の第一辺部から上方へ起立した第一側面部と、底面部の第二辺部から上方へ起立した第二側面部と、底面部の第三辺部から上方へ起立した第三側面部と、底面部の第四辺部から上方へ起立した第四側面部とが、所定形状に裁断された１枚の板紙を折り曲げることによって形成された組立式の紙製容器であって、
前記板紙の展開時における底面部と第一側面部との間に、底面部の第一辺部に沿った第一下側折曲部が設けられ、
前記板紙の展開時における底面部と第二側面部との間に、底面部の第二辺部に沿った第二下側折曲部が設けられ、
前記板紙の展開時における底面部と第三側面部との境界線における少なくとも１つの区間が底面部側へ凹んで形成されることにより、底面部にその内側に凹んだ第三下側凹部が形成されるとともに、第三側面部に底面部の第三下側凹部側へ突出した第三下側凸部が形成され、底面部と第三側面部との境界線のうち第三下側凹部を形成する区間で底面部と第三側面部とが切り離され、
前記板紙の展開時における底面部と第四側面部との境界線における少なくとも１つの区間が底面部側へ凹んで形成されることにより、底面部にその内側に凹んだ第四下側凹部が形成されるとともに、第四側面部に底面部の第四下側凹部側へ突出した第四下側凸部が形成され、底面部と第四側面部との境界線のうち第四下側凹部を形成する区間で底面部と第四側面部とが切り離され、
組立後においては、
第一下側折曲部が、底面部と第一下側折曲部との境界線を折り線として下向きに折り曲げられて底面部から下向きに突出されるとともに、第一側面部が、第一側面部と第一下側折曲部との境界線を折り線として上向きに折り返されて、第一側面部の上部が底面部から上方に突出するよう起立され、底面部よりも下方となる第一側面部と第一下側折曲部との重なり部分が、底面部の下方へ突き出た第一脚部とされ、
第二下側折曲部が、底面部と第二下側折曲部との境界線を折り線として下向きに折り曲げられて底面部から下向きに突出されるとともに、第二側面部が、第二側面部と第二下側折曲部との境界線を折り線として上向きに折り返されて、第二側面部の上部が底面部から上方に突出するよう起立され、底面部よりも下方となる第二側面部と第二下側折曲部との重なり部分が、底面部の下方へ突き出た第二脚部とされ、
第三側面部が、底面部と第三側面部との境界線における底面部側へ凹んで形成されていない区間を折り線として上向きに折り曲げられて起立されるとともに、第三側面部における第三下側凸部が底面部の下方へ突き出た第三脚部とされ、
第四側面部が、底面部と第四側面部との境界線における底面部側へ凹んで形成されていない区間を折り線として上向きに折り曲げられて起立されるとともに、第四側面部における第四下側凸部が底面部の下方へ突き出た第四脚部とされた、
ことを特徴とする紙製容器
を提供することによって解決される。
【００１１】
本発明の紙製容器において、組立後における、第一側面部、第二側面部、第三側面部及び第四側面部は、それぞれ、底面部に対して垂直に設けてもよいし（図９を参照。）、下広がりとなるように底面部に対して内側に傾斜させてもよい（図１０を参照。）。しかし、本発明の紙製容器を、弁当箱としてより好適に採用できるものとするためには、組立後における、第一側面部、第二側面部、第三側面部及び第四側面部を、それぞれ、底面部に対して垂直となる位置から外側に傾けて形成すると好ましい（図８を参照。）。これにより、紙製容器を、見た目が豪華なだけでなく、樹脂製トレーなどを容易に収容することもできるなど、機能性に優れたものとすることが可能となる。
【００１２】
また、本発明の紙製容器においては、
前記板紙の展開時における第一側面部の外側に、第一側面部に沿った第一上側折返部を設け、第一上側折返部の両脇を形成する１対の側縁のそれぞれに、第一上側折返部の内側に凹んで形成された第一上側凹部を設け、
前記板紙の展開時における第二側面部の外側に、第二側面部に沿った第二上側折返部を設け、第二上側折返部の両脇を形成する１対の側縁のそれぞれに、第二上側折返部の内側に凹んで形成された第二上側凹部を設け、
前記板紙の展開時における第三側面部の外側に、第三側面部に沿った第三上側折返部を設け、第三上側折返部の両脇を形成する１対の側縁のそれぞれに、第三上側折返部の外側に突出して形成された第三上側凸部を設け、
前記板紙の展開時における第四側面部の外側に、第四側面部に沿った第四上側折返部を設け、第四上側折返部の両脇を形成する１対の側縁のそれぞれに、第四上側折返部の外側に突出して形成された第四上側凸部を設け、
組立後において、
第一上側折返部が、第一側面部と第一上側折返部との境界線を折り線として下向きに折り返されて第一側面部の内面に重ねられ、
第二上側折返部が、第二側面部と第二上側折返部との境界線を折り線として下向きに折り返されて第二側面部の内面に重ねられ、
第三上側折返部が、第三側面部と第三上側折返部との境界線を折り線として下向きに折り返されて第三側面部の内面に重ねられるとともに、第三側面部の両脇に設けられた１対の第三上側凸部が、第三上側折返部と第三上側凸部との境界線を折り線としてそれぞれ第一側面部及び第二側面部の内面に沿うよう折り曲げられて第一上側凹部及び第二上側凹部に嵌め込まれ、
第四上側折返部が、第四側面部と第四上側折返部との境界線を折り線として下向きに折り返されて第四側面部の内面に重ねられるとともに、第四側面部の両脇に設けられた１対の第四上側凸部が、第四上側折返部と第四上側凸部との境界線を折り線としてそれぞれ第一側面部及び第二側面部の内面に沿うよう折り曲げられて第一上側凹部及び第二上側凹部に嵌め込まれる
ようにすることが好ましい。これにより、組立後に第三上側折返部や第四上側折返部が元の状態へ戻ろうとするのを防ぐことが可能になる。この構成は、図８に示すように、第一側面部と第二側面部を、底面部に対して垂直となる位置から外側に傾けて形成した場合に、特に好適に採用することができる。その理由については、後で詳しく説明する。
【００１３】
さらに、本発明の紙製容器においては、第一側面部の下部と第一下側折曲部との重なり部分において、第一側面部と第一下側折曲部とを、第一下側折曲部の両端部近傍のみで接着し、第二側面部の下部と第二下側折曲部との重なり部分において、第二側面部と第二下側折曲部とを、第二下側折曲部の両端部近傍のみで接着することも好ましい。これにより、第一側面部や第二側面部が内側へ倒れて紙製容器の形が崩れるのを防止することが可能になる。その理由については、後で詳しく説明する。
【００１４】
さらにまた、上記の本発明の紙製容器を複数段に重ねて構成した重箱式の紙製容器であって、上の段に配された紙製容器における第一脚部と第二脚部と第三脚部と第四脚部の内側に、下の段に配された紙製容器における第一側面部と第二側面部と第三側面部と第四側面部の上縁が挿入されて、上の段に配された紙製容器が下の段に配された紙製容器に対して嵌合されるようにした重箱式の紙製容器を提供することも好ましい。これにより、本発明の紙製容器を、おせち料理などの高級料理を入れるものとしてより好適なものとすることも可能になる。本発明の紙製容器は、側面部（第一側面部、第二側面部、第三側面部及び第四側面部）の下側が脚部（第一脚部、第二脚部、第三脚部及び第四脚部）となる形態のものであるために、重箱式の紙製容器として好適に使用することができる。この構成は、図１０に示すように、組立後における第一側面部、第二側面部、第三側面部及び第四側面部が、それぞれ底面部に対して垂直となる位置から内側に傾いて形成された紙製容器を使用する場合において、特に好適に採用することができる。
【発明の効果】
【００１５】
以上のように、本発明によって、仕出し弁当など比較的高級な弁当を詰める弁当箱として好適に使用することのできる紙製容器を提供することが可能になる。具体的には、それに入れられた食べ物の量を実際よりも多く豪華に見せることができる紙製容器を提供することが可能になる。また、その底面部の下方に設けられた脚部によって底面部を載置面から浮かせて支持することができ、底面部の下側に指を入れて容易に持ち運びできるとともに、載置面に汁などがこぼれても底面部が濡れることのない紙製容器を提供することも可能になる。さらに、見た目に優れ、高級感を醸し出すことも容易な紙製容器を提供することも可能になる。さらにまた、紙製容器の本体の強度だけでなく、脚部自身の強度を高く維持することのできる紙製容器を提供することも可能になる。
【図面の簡単な説明】
【００１６】
【図１】第一実施態様の紙製容器を１枚の板紙に展開した状態を上方から見た平面図である。
【図２】図１の状態から、第一上側折返部及び第二上側折返部を折り返した状態を示した平面図である。
【図３】図２の状態から、第一側面部及び第二側面部を折り返した状態を示した平面図である。
【図４】図３の状態から、第一側面部、第二側面部、第三側面部及び第四側面部を起立させた状態を示した斜視図である。
【図５】図４の状態から、第三上側折返部及び第四上側折返部を折り返して完成させた組立後の紙製容器を示した斜視図である。
【図６】図５の組立後の紙製容器を前方から見た正面図である。
【図７】図５の組立後の紙製容器を側方から見た側面図である。
【図８】図５の組立後の紙製容器を第一側面部に垂直な面で切断した状態を示した断面図である。
【図９】第五実施態様の紙製容器を第一側面部に垂直な面で切断した状態を示した断面図である。
【図１０】第三実施態様の紙製容器を第一側面部に垂直な面で切断した状態を示した断面図である。
【図１１】第二実施態様の紙製容器を第一側面部に垂直な面で切断した状態を示した断面図である。
【図１２】第三実施態様の紙製容器を示した斜視図である。
【図１３】第三実施態様の紙製容器を１枚の板紙に展開した状態を上方から見た平面図である。
【図１４】第四実施態様の紙製容器を第一側面部に垂直な面で切断した状態を示した断面図である。
【発明を実施するための形態】
【００１７】
１．紙製容器の概要
本発明の紙製容器の好適な実施態様について、図面を用いてより具体的に説明する。まず、第一実施態様の紙製容器について説明する。図１は、第一実施態様の紙製容器を１枚の板紙に展開した状態を上方から見た平面図である。図２は、図１の状態から、第一上側折返部１２０及び第二上側折返部２２０を折り返した状態を示した平面図である。図３は、図２の状態から、第一側面部１００及び第二側面部２００を折り返した状態を示した平面図である。図４は、図３の状態から、第一側面部１００、第二側面部２００、第三側面部３００及び第四側面部４００を起立させた状態を示した斜視図である。図５は、図４の状態から、第三上側折返部３１０及び第四上側折返部４１０を折り返して完成させた組立後の紙製容器を示した斜視図である。図６は、図５の組立後の紙製容器を前方から見た正面図である。図７は、図５の組立後の紙製容器を側方から見た側面図である。図８は、図５の組立後の紙製容器を第一側面部１００に垂直な面で切断した状態を示した断面図である。
【００１８】
第一実施態様の紙製容器は、図５に示すように、略方形の底面部５０と、底面部５０の各辺部から上方へ起立した第一側面部１００、第二側面部２００、第三側面部３００（図４を参照。）及び第四側面部４００とが、所定形状に裁断された１枚の板紙（図１を参照。）の各部を折り曲げることによって形成された組立式のものとなっている。以下においては、説明の便宜上、図１における底面部５０と符号１１０で示される領域（後述する第一下側折曲部）との境界線（図１においては破線で表されている。）を「底面部５０の第一辺部」と呼び、底面部５０と符号２１０で示される領域（後述する第二下側折曲部）との境界線（図１においては破線で表されている。）を「底面部５０の第二辺部」と呼び、底面部５０と第三側面部３００との境界線（図１においては実線−破線−実線で表されている。）を「底面部５０の第三辺部」と呼び、底面部５０と第四側面部４００との境界線（図１においては実線−破線−実線で表されている。）を「底面部５０の第四辺部」と呼ぶことがある。
【００１９】
２．紙製容器の展開図
まず、第一実施態様の紙製容器の展開図について説明する。第一実施態様の紙製容器は、図１に示すように、板紙の展開時においては、底面部５０と第一側面部１００との間に、底面部５０の第一辺部に沿った帯状の第一下側折曲部１１０が設けられており、底面部５０と第二側面部２００との間に、底面部５０の第二辺部に沿った帯状の第二下側折曲部２１０が設けられた形態となっている。第一側面部１００の外側（図１の板紙の中心から見て外側の意。この場合は図１の紙面に向かって下側）には、第一側面部１００の長手方向に沿った第一上側折返部１２０が設けられており、第二側面部２００の外側（図１の紙面に向かって上側）には、第二側面部２００の長手方向に沿った第二上側折返部２２０が設けられている。
【００２０】
紙製容器の側壁を形成できるのであれば、第一側面部１００、第二側面部２００、第三側面部３００及び第四側面部４００の形状は、特に限定されない。しかし、第一実施態様の紙製容器においては、図１に示すように、いずれも外広がり（組立後においては上広がり）の略台形状としている。このため、組立後においては、図５〜７に示すように、第一側面部１００、第二側面部２００、第三側面部３００及び第四側面部４００は、略テーパー状に上広がりとなるようになっている。第一上側折返部１２０及び第二上側折返部２２０は、第一側面部１００及び第二側面部２００と同様、組立後に上広がりとなるように、内広がりの略台形状とされている。
【００２１】
また、板紙の展開時においては、図１に示すように、第三側面部３００の外側（図１の紙面に向かって左側）には、第三側面部３００と略線対称な略台形状を有する第三上側折返部３１０が第三側面部３００の長手方向に沿って設けられており、第四側面部４００の外側（図１の紙面に向かって右側）には、第四側面部４００と略線対称な略台形状を有する第四上側折返部４１０が第四側面部４００の長手方向に沿って設けられている。第三上側折返部３１０のさらに外側（図１の紙面に向かって左側）には、第三上側折返部３１０の長手方向に沿った帯状の第三上側折曲部３２０が設けられており、第四上側折返部４１０のさらに外側（図１の紙面に向かって右側）には、第四上側折返部４１０の長手方向に沿った帯状の第四上側折曲部４２０が設けられている。
【００２２】
さらに、板紙の展開時においては、図１に示すように、第一側面部１００の両脇には、それぞれ、略三角形状の第一連結部１３０，１４０を介して、略三角形状の第一固定部１５０，１６０が設けられており、第二側面部２００の両脇には、それぞれ、略三角形状の第二連結部２３０，２４０を介して、略三角形状の第二固定部２５０，２６０が設けられている。第一上側折返部１２０の両脇には、それぞれ、略四角形状の第一補強部１７０，１８０が設けられており、第二上側折返部２２０の両脇には、それぞれ、略四角形状の第二補強部２７０，２８０が設けられている。第三上側折返部３１０の両脇を形成する１対の側縁のそれぞれには、第三上側折返部３１０の外側に突出して形成された第三上側凸部３３０，３４０が設けられており、第四上側折返部４１０の両脇を形成する１対の側縁のそれぞれには、第四上側折返部４１０の外側に突出して形成された第四上側凸部４３０，４４０が設けられている。
【００２３】
さらにまた、板紙の展開時においては、図１に示すように、第一上側折返部１２０の両脇を形成する１対の側縁のそれぞれには、第一上側折返部１２０の内側に凹んで形成された第一上側凹部１２２，１２３が設けられ、第二上側折返部２２０の両脇を形成する１対の側縁のそれぞれには、第二上側折返部２２０の内側に凹んで形成された第二上側凹部２２２，２２３が設けられている。第一実施態様の紙製容器において、第一上側凹部１２２は、組立後にその内部へ第三上側凸部３４０がぴったりと嵌り込む形状とされ、第一上側凹部１２３は、組立後にその内部へ第四上側凸部４４０がぴったりと嵌り込む形状とされ、第二上側凹部２２２は、組立後にその内部へ第三上側凸部３３０がぴったりと嵌り込む形状とされ（図５における符号３３０，２２２を参照）、第二上側凹部２２３は、組立後にその内部へ第四上側凸部４３０がぴったりと嵌り込む形状とされている。このような構造とした理由については、後述する。
【００２４】
そして、板紙の展開時においては、図１に示すように、底面部５０と第三側面部３００との境界線の両端部における２つの区間（当該境界線における実線で示した２つの区間）
が、底面部５０側へ凹んで形成されている。このため、底面部５０には、その内側に凹んだ第三下側凹部５１，５２が形成されるとともに、第三側面部３００には、底面部５０の第三下側凹部５１，５２側へ突出した第三下側凸部３０３，３０４が形成されている。底面部５０と第三側面部３００との境界線のうち第三下側凹部５１，５２を形成する前記２つの区間では、底面部５０と第三側面部３００とが切り離されている。一方、底面部５０と第三側面部３００との境界線における中央部の区間（当該境界線における破線で示した区間）では、底面部５０と第三側面部３００とが繋がっている。
【００２５】
同様に、板紙の展開時においては、図１に示すように、底面部５０と第四側面部４００との境界線の両端部における２つの区間（当該境界線における実線で示した２つの区間）
が、底面部５０側へ凹んで形成されている。このため、底面部５０には、その内側に凹んだ第四下側凹部５３，５４が形成されるとともに、第四側面部４００には、底面部５０の第四下側凹部５３，５４側へ突出した第四下側凸部４０３，４０４が形成されている。底面部５０と第四側面部４００との境界線のうち第四下側凹部５３，５４を形成する前記２つの区間では、底面部５０と第四側面部４００とが切り離されている。一方、底面部５０と第四側面部４００との境界線における中央部の区間（当該境界線における破線で示した区間）では、底面部５０と第四側面部４００とが繋がっている。
【００２６】
３．紙製容器の組立方法
続いて、第一実施態様の紙製容器の組立方法について説明する。以下において述べる組立方法は、あくまで一例であり、本発明の紙製容器を組み立てる順番を制限するものではない。組立後の紙製容器が本例と同じであるならば、板紙の各部を折り曲げたり、折り返したり、接着したりする順番は、適宜変更してもよいものとする。また、第一実施態様の紙製容器においては、その素材に使用する板紙として、片面に光沢加工が施されたボール紙を採用している。図１〜７において、板紙における黒塗りで示した面は、板紙の光沢面を表しており、それ以外の白色で示した面は、板紙の非光沢面を表している。紙製容器は、図５に示すように、外側から見える部分が光沢面となるように形成することによって、その高級感を増すことができる。
【００２７】
まず、図１に示す状態から、第一側面部１００と第一上側折返部１２０との境界線を折り線として、第一上側折返部１２０を第一側面部１００の上面（非光沢面）側に折り返すとともに、第二側面部２００と第二上側折返部２２０との境界線を折り線として、第二上側折返部２２０を第二側面部２００の上面（非光沢面）側に折り返す。このとき、第一上側折返部１２０及び第二上側折返部２２０が、それぞれ第一側面部１００及び第二側面部２００から浮き上がるのを防ぐため、第一上側折返部１２０の上面（非光沢面）側に設けた接着部１２１を、第一側面部１００の上面（非光沢面）側に設けた被接着部１０１に接着するとともに、第二上側折返部２２０の上面（非光沢面）側に設けた接着部２２１を、第二側面部２００の上面（非光沢面）側に設けた被接着部２０１に接着する。これにより、板紙は、図２に示す状態となる。
【００２８】
次に、図２に示す状態から、第一側面部１００と第一下側折曲部１１０との境界線を折り線として、第一側面部１００を、第一上側折返部１２０と一緒に、底面部５０及び第一下側折曲部１１０の上面（非光沢面）側に折り返すとともに、第二側面部２００と第二下側折曲部２１０との境界線を折り線として、第二側面部２００を、第二上側折返部２２０と一緒に、底面部５０及び第二下側折曲部２１０の上面（非光沢面）側に折り返す（図３）。このとき、第一側面部１００及び第二側面部２００が、それぞれ第一下側折曲部１１０及び第二下側折曲部２１０から離れるのを防ぐため、第一側面部１００の上面（非光沢面）側に設けた接着部１０２，１０３を、それぞれ第一下側折曲部１１０の上面（非光沢面）側に設けた被接着部１１１，１１２に接着するとともに、第二側面部２００の上面（非光沢面）側に設けた接着部２０２，２０３を、それぞれ第一下側折曲部２１０の上面（非光沢面）側に設けた被接着部２１１，２１２に接着する。また、第一側面部１００及び第二側面部２００の端部をそれぞれ第三側面部３００及び第四側面部４００の端部に固定するため、第一固定部１５０，１６０の上面（非光沢面）側に設けられた接着部１５１，１６１を、それぞれ第三側面部３００及び第四側面部４００の上面（非光沢面）側に設けられた被接着部３０２，４０２に接着するとともに、第二固定部２５０，２６０の上面（非光沢面）側に設けられた接着部２５１，２６１を、それぞれ第三側面部３００及び第四側面部４００の上面（非光沢面）側に設けられた被接着部３０１，４０１に接着する。これにより、板紙は、図３に示す状態となる。
【００２９】
このとき、第一側面部１００の下部（第一脚部を形成する部分）や、第二側面部２００の下部（第二脚部を形成する部分）は、それぞれ第一下側折曲部１１０や第二下側折曲部２１０の長手方向全体に亘って接着してもよい。しかし、第一実施態様の紙製容器においては、第一側面部１００及び第二側面部２００の下部における両端部近傍（第一側面部１００における接着部１０２，１０３、第二側面部２００における接着部２０２，２０３）のみを、第一下側折曲部１１０及び第二下側折曲部２１０の両端部近傍（第一下側折曲部１１０における被接着部１１１，１１２、第二下側折曲部２１０における被接着部２１１，２１２）に対して接着している。このため、第一実施態様の紙製容器においては、第一側面部１００の下部中央部と第一下側折曲部１１０の中央部、及び第二側面部２００の下部中央部と第二下側折曲部２１０の中央部は、互いに接着されていない。というのも、第一側面部１００の下部中央部と第一下側折曲部１１０の中央部とを接着し、第二側面部２００の下部中央部と第二下側折曲部２１０の中央部とを接着すると、組立後の紙製容器（図５を参照。）において、第一側面部１００と第二側面部２００とが自然に内側に倒れるようになり、組立後の紙製容器の形が崩れやすくなるからである。
【００３０】
次に、図３に示す状態から、底面部５０と第一下側折曲部１１０（図１）との境界線を折り線として、第一下側折曲部１１０のみを下向き（図１の紙面に向かって奥側）に折り曲げることにより、第一側面部１００の全体を第一下側折曲部１１０の下縁から上向きに起立させる（図４）。このとき、第一側面部１００の上部は、図８に示すように、底面部５０よりも上方へ突出され、底面部５０よりも下方となった第一側面部１００と第一下側折曲部１１０との重なり部分は、底面部５０の下方へ突き出た第一脚部となる。これと同時に、底面部５０と第二下側折曲部２１０（図１）との境界線を折り線として、第二下側折曲部２１０のみを下向き（図１の紙面に向かって奥側）に折り曲げることにより、第二側面部２００の全体を第二下側折曲部２１０の下縁から上向きに起立させる（図４）。このとき、第二側面部２００の上部は、図８に示すように、底面部５０よりも上方へ突出され、底面部５０よりも下方となった第二側面部２００と第二下側折曲部２１０との重なり部分は、底面部５０の下方へ突き出た第二脚部となる。
【００３１】
ところで、上述したように、第一側面部１００と第三側面部３００、第一側面部１００と第四側面部４００、第二側面部２００と第三側面部３００、第二側面部２００と第四側面部４００は、それぞれ、第一連結部１３０と第一固定部１５０、第一連結部１４０と第一固定部１６０、第二連結部２３０と第二固定部２５０、第二連結部２４０と第二個底部２６０とを介して連結されているため、第一側面部１００及び第二側面部２００をそれぞれ底面部５０に対して起立させようとすると、それに連動して、第三側面部３００及び第四側面部４００も起立させなければならない。したがって、第一側面部１００及び第二側面部２００を起立させる際には、同時に、第三側面部３００及び第四側面部４００も起立させる。
【００３２】
具体的には、図３に示す状態から、底面部５０と第三側面部３００との境界線における底面部５０側へ凹んで形成されていない区間（図３の当該境界線における破線で示された区間）を折り線として、第三側面部３００を上向きに起立させるとともに、底面部５０と第四側面部４００との境界線における底面部５０側へ凹んで形成されていない区間（図３の当該境界線における破線で示された区間）を折り線として、第四側面部４００を上向きに起立させる。このとき、第三側面部３００における第三下側凸部３０３，３０４は、底面部５０の下方へ突き出て第三脚部となり、第四側面部４００における第四下側凸部４０３，４０４は、底面部５０の下方へ突き出て第四脚部となる。
【００３３】
このとき、第一連結部１３０は、第一側面部１００と第一連結部１３０との境界線を折り線として、第一補強部１７０（図２を参照。）とともに、第一側面部１００の非光沢面側に折り曲げられ、第一固定部１５０は、第一連結部１３０と第一固定部１５０との境界線を折り線として、第一連結部１３０の光沢面側に折り返される。また、第一連結部１４０は、第一側面部１００と第一連結部１４０との境界線を折り線として、第一補強部１８０（図２を参照。）とともに、第一側面部１００の非光沢面側に折り曲げられ、第一固定部１６０は、第一連結部１４０と第一固定部１６０との境界線を折り線として、第一連結部１４０の光沢面側に折り返される。さらに、第二連結部２３０は、第二側面部２００と第二連結部２３０との境界線を折り線として、第二補強部２７０（図２を参照。）とともに、第二側面部２００の非光沢面側に折り曲げられ、第二固定部２５０は、第二連結部２３０と第二固定部２５０との境界線を折り線として、第二連結部１３０の光沢面側に折り返される。さらにまた、第二連結部２４０は、第二側面部２００と第二連結部２４０との境界線を折り線として、第二補強部２８０（図２を参照。）とともに、第二側面部２００の非光沢面側に折り曲げられ、第二固定部２６０は、第二連結部２４０と第二固定部２６０との境界線を折り線として、第二連結部２４０の光沢面側に折り返される。このとき、板紙は、図４に示す状態となっている。
【００３４】
次に、図４に示す状態から、第三上側折返部３１０を、その非光沢面が第三側面部３００の非光沢面と接触するように、第三側面部３００と第三上側折返部３１０との境界線を折り線として、第三側面部３００の内側（非光沢面側）に折り返す。このとき、第三上側折返部３１０の上縁に設けられている第三上側折曲部３２０を、その非光沢面が底面部５０の非光沢面と接触するように、第三上側折返部３１０と第三上側折曲部３２０との境界線を折り線として、第三上側折返部３１０の光沢面側へ折り曲げる。この第三上側折曲部３２０によって、底面部５０の縁部に形成されていた第三下側凹部５１，５２が塞がれる。また、第三上側折返部３１０の両脇に設けられている第三上側凸部３３０，３４０を、その非光沢面がそれぞれ第二側面部２００及び第一側面部１００の内面（非光沢面）と接触するように、第三上側折返部３１０と第三上側凸部３３０，３４０との境界線を折り線として、それぞれ第三上側折返部３１０の光沢面側へ折り曲げる。第三上側凸部３３０は、第二上側折返部２２０に設けられた第二上側凹部２２２に嵌め込み、第三上側凸部３４０は、第一上側折返部１２０（図２を参照。）に設けられた第一上側凹部１２２（図２を参照。）に嵌め込む。
【００３５】
同様に、図４に示す状態から、第四上側折返部４１０を、その非光沢面が第四側面部４００の非光沢面と接触するように、第四側面部４００と第四上側折返部４１０との境界線を折り線として、第四側面部４００の内側（非光沢面側）に折り返す。このとき、第四上側折返部４１０の上縁に設けられている第四上側折曲部４２０を、その非光沢面が底面部５０の非光沢面と接触するように、第四上側折返部４１０と第四上側折曲部４２０との境界線を折り線として、第四上側折返部４１０の光沢面側へ折り曲げる。この第四上側折曲部４２０によって、底面部５０の縁部に形成されていた第四下側凹部５３，５４が塞がれる。また、第四上側折返部４１０の両脇に設けられている第四上側凸部４３０，４４０を、その非光沢面がそれぞれ第二側面部２００及び第一側面部１００の内面（非光沢面）と接触するように、第四上側折返部４１０と第四上側凸部４３０，４４０との境界線を折り線として、それぞれ第四上側折返部４１０の光沢面側へ折り曲げる。第四上側凸部４３０は、第二上側折返部２２０に設けられた第二上側凹部２２３に嵌め込み、第四上側凸部４４０は、第一上側折返部１２０（図２を参照。）に設けられた第一上側凹部１２３（図２を参照。）に嵌め込む。これにより、板紙は、図５に示す状態となり、紙製容器が完成する。
【００３６】
４．組立後の紙製容器
続いて、組立後の紙製容器についてより詳しく説明する。第一実施態様の紙製容器は、図５〜８に示すように、組立後における第一側面部１００、第二側面部２００、第三側面部３００及び第四側面部４００が、それぞれ底面部５０に対して垂直となる位置から外側に傾いて形成されている（図６における角度φ、図７における角度θを参照。）。このため、第一実施態様の紙製容器は、その開口部（開放上面）が底面部５０よりも広くなっている。したがって、第一実施態様の紙製容器を弁当箱に用いた場合には、弁当箱を大きく見えるようにして、それに入れられた食べ物の量を実際よりも多く豪華に見せることができるようになっている。
【００３７】
第一側面部１００及び第二側面部２００の傾斜角度θ（図７を参照。）や、第三側面部３００及び第四側面部４００の傾斜角度φ（図６を参照。）の大きさは、特に限定されない。しかし、傾斜角度θ，φを小さくしすぎると、上述した視覚的効果が奏されにくくなるおそれがある。このため、傾斜角度θ，φは、通常、１°以上とされる。傾斜角度θ，φは、３°以上であると好ましく、５°以上であるとさらに好ましい。一方、傾斜角度θ，φを大きくしすぎると、紙製容器の強度に難が生じたり、紙製容器の寸法が大きくなりすぎるおそれがある。このため、傾斜角度θ，φは、通常、３０°以下とされる。傾斜角度θ，φは、２０°以下であると好ましく、１５°以下であるとより好ましく、１０°以下であるとさらに好ましい。第一実施態様の紙製容器において、傾斜角度θは約７°、傾斜角度φは約６°となっている。
【００３８】
また、第一実施態様の紙製容器は、図８に示すように、脚部（上述した第一脚部、第二脚部、第三脚部及び第四脚部のこと。以下同じ。）によって、底面部５０が紙製容器の載置面よりも高くなっている。したがって、第一実施態様の紙製容器を弁当箱に用いた場合には、弁当箱をさらに大きく見えるようにして、それに入れられた食べ物の量を実際よりもさらに多く豪華に見せることができるようになっている。また、紙製容器の載置面に汁がこぼれたような場合であっても、底面部５０が濡れるのを防ぐこともできる。紙製容器における脚部は、第三側面部３００と第四側面部４００における一部の区間を除いて、紙製容器の全周部に亘って設けられている。このため、第一実施態様の紙製容器は、上げ底されていることが分かり難い構造となっている。
【００３９】
紙製容器における脚部の高さ（載置面から底面部５０までの高さ）は、紙製容器の用途などによっても異なり、特に限定されないが、低くしすぎると、上述した視覚的効果が奏されにくくなることに加えて、後述する第三指掛け部及び第四指掛け部４０５（図７を参照。）に指を入れにくくなるおそれもある。このため、紙製容器を弁当箱として使用する場合には、脚部の高さは、通常、５ｍｍ以上とされる。脚部の高さは、８ｍｍ以上であると好ましく、１０ｍｍ以上であるとより好ましい。一方、脚部を高くしすぎると、紙製容器の設置安定性が低下することに加えて、紙製容器の寸法が大きくなりすぎるおそれもある。このため、紙製容器を弁当箱として使用する場合には、脚部の高さは、通常、３０ｍｍ以下とされる。脚部の高さは、２５ｍｍ以下であると好ましく、２０ｍｍ以下であるとより好ましく、１５ｍｍ以下であるとさらに好ましい。第一実施態様の紙製容器において、脚部の高さは、約１２ｍｍとなっている。
【００４０】
さらに、第一実施態様の紙製容器において、第一脚部（第一側面部１００の下部）は、図８に示すように、第一側面部１００と第一下側折曲部１１０との２重構造となっていることに加えて、第一側面部１００と第一下側折曲部１１０との折り目によって、当該部分の断面係数が高められている。同様に、第二脚部（第二側面部２００の下部）も、第二側面部２００と第二下側折曲部２１０との２重構造となっていることに加えて、第二側面部２００と第二下側折曲部２１０との折り目によって、当該部分の断面係数が高められている。このため、第一実施態様の紙製容器は、第一脚部や第二脚部の強度だけでなく、紙製容器全体の強度も非常に優れたものとなっている。第一脚部や第二脚部は、第一側面部１００や第二側面部２００の下部における一部の区間のみに設けてもよいが、紙製容器の強度や外観を考慮すると、第一実施態様の紙製容器のように、第一側面部１００や第二側面部２００の下部における全区間に亘って連続した帯状に設けることが好ましい。
【００４１】
一方、第三脚部（第三側面部３００の下部。第三下側凸部３０３，３０４に相当する部分。）や第四脚部（第四側面部４００の下部。第四下側凸部４０３，４０４に相当する部分。）は、２重構造にしたり、全区間に亘って連続した帯状に設けたりする必要性が高くない。紙製容器を弁当箱として使用する場合には、通常、第一側面部１００が手前側になるように配されるため、第三側面部３００や第四側面部４００は、弁当を食べる人から死角となり、その部分に開口部が形成されていても気にならず、見た目の高級感を損なわないからである。また、第三脚部や第四脚部は、第一脚部（第一側面部１００の下部）や第二脚部（第二側面部２００の下部）と比較して、長さが短く、その部分が１重構造であったとしても、紙製容器全体の強度には特に影響を及ぼさないことも、その理由の１つである。
【００４２】
さらにまた、第一実施態様の紙製容器においては、組立後において、第三側面部３００における第三下側凸部３０３（図１を参照。）と第三下側凸部３０４（図１を参照。）との間に第三指掛け部（図示省略）が形成され、第四側面部４００における第四下側凸部４０３（図７を参照。）と第四下側凸部４０４（図７を参照。）との間に第四指掛け部４０５（図７を参照。）が形成されるようになっている。この第三指掛け部と第四指掛け部４０５からは、底面部５０の下側へ指を入れることができるようになっており、紙製容器を運搬する際などに利用することができるものとなっている。第三指掛け部や第四指掛け分４０５の横幅は、特に限定されないが、通常、５〜２０ｃｍとされ、好ましくは、人差し指から小指までの４本の指が入るのに必要十分な程度の、８〜１２ｃｍとされる。第一実施態様の紙製容器において、第三指掛け部及び第四指掛け部４０５の横幅は、約１０ｃｍとなっている。
【００４３】
そして、第一実施態様の紙製容器においては、第三上側折返部３１０及び第四上側折返部４１０は、それぞれ第三側面部３００及び第四側面部４００に対して折り返しただけであり、第三側面部３００及び第四側面部４００に対して接着されていない。これは、板紙に設ける接着部の数を減らして、製造工程の数を減らすなど、紙製容器の製造コストを考慮してのものである。このため、第三上側折返部３１０及び第四上側折返部４１０は、板紙自身の弾性によって、折り返される前の元の状態に（図５の状態から図４の状態へと）戻ろうとする。加えて、第一側面部１００及び第二側面部２００は、図８に示すように、上広がりとなるように傾斜しており、元の状態に戻ろうとする第三上側折返部３１０及び第四上側折返部４１０を阻害しない。このため、何ら工夫を施していないと、組立後の紙製容器における第三上側折返部３１０及び第四上側折返部４１０が、起き上がってしまい、紙製容器の形が崩れるおそれがある。
【００４４】
この点、第一実施態様の紙製容器においては、上述した通り、第三上側折返部３１０の両脇に設けられた第三上側凸部３３０，３４０が、第二上側折返部２２０に設けられた第二上側凹部２２２と第一上側折返部１２０に設けられた第一上側凹部１２２とにそれぞれ嵌め込まれるとともに、第四上側折返部４１０の両脇に設けられた第四上側凸部４３０，４４０が、第二上側折返部２２０に設けられた第二上側凹部２２３と第一上側折返部１２０に設けられた第一上側凹部１２３とにそれぞれ嵌め込まれるようになっている（図５における符号２２２，３３０を参照。）。このため、第三上側折返部３１０は、第三上側凸部３３０が第二上側凹部２２２から外れ、かつ第三上側凸部３４０が第一上側凹部１２２から外れない限りは、起き上がらないようになっている。一方、第四上側折返部４１０は、第四上側凸部４３０が第二上側凹部２２３から外れ、かつ第四上側凸部４４０が第一上側凹部１２３から外れない限りは、起き上がらないようになっている。
【００４５】
ところで、図５の状態において、第三上側凸部３３０，３４０及び第四上側凸部４３０，４４０は、板紙自身の弾性によって、折り返される前の元の状態に戻ろう（第三上側凸部３３０，３４０は、第三上側折返部３１０と真っ直ぐになろうとし、第四上側凸部４３０，４４０は、第四上側折返部４１０と真っ直ぐになろう）とする。しかし、第三上側凸部３３０及び第四上側凸部４３０は、第二側面部２００側に押し付けられ、第三上側凸部３４０及び第四上側凸部４４０は、第一側面部１００側に押し付けられるようになるため、第二上側凹部２２２，２２３及び第一上側凹部１２２，１２３から脱落することなく、嵌め込まれたままの状態を維持できるようになっている。第一実施態様の紙製容器は、このような工夫により、第三上側折返部３１０及び第四上側折返部４１０が起き上がるのを防止している。この構成は、第一実施態様の紙製容器のように、第一側面部１００と第二側面部２００とが上広がりに傾斜している場合に、特に好適に採用することができる。
【００４６】
５．第二実施態様の紙製容器
続いて、第二実施態様の紙製容器について説明する。図１１は、第二実施態様の紙製容器Ｃを第一側面部１００に垂直な面で切断した状態を示した断面図である。第二実施態様の紙製容器Ｃは、図１１に示すように、紙製容器Ｃ１と紙製容器Ｃ２とを重ねて構成した重箱式のものとなっている。第二実施態様の紙製容器Ｃにおいては、２段に積重ねているが、３段以上としてもよい。第二実施態様の紙製容器は、おせち料理などの高級料理を入れるものとして好適に採用することができる。
【００４７】
第二実施態様の紙製容器Ｃにおいて、紙製容器Ｃ１と紙製容器Ｃ２はいずれも、上述した第一実施態様の紙製容器と同様、組立後における第一側面部１００と第二側面部２００と第三側面部３００（図示省略）と第四側面部４００（図示省略）が、それぞれ底面部５０に対して垂直となる位置から外側に傾いて形成されたものとなっている。下段の紙製容器Ｃ１は、上段の紙製容器Ｃ２よりも寸法が一回り小さくされている。上段の紙製容器Ｃ２における脚部の内側には、下段の紙製容器Ｃ１における側面部（第一側面部１００と第二側面部２００と第三側面部３００と第四側面部４００のそれぞれにおける底面部５０よりも上側となる部分のこと。以下同じ。）の上縁が挿入されており、上段の紙製容器Ｃ２が下段の紙製容器Ｃ１に対して嵌合された状態となっている。
【００４８】
既に述べたように、紙製容器Ｃ１と紙製容器Ｃ２はいずれも、下側の幅よりも上側の幅の方が広い上広がりの形態となっていることに加えて、紙製容器Ｃ１と紙製容器Ｃ２とを嵌合した際には、下段の紙製容器Ｃ１における側面部の外面上部は、それぞれ、上段の紙製容器Ｃ２における脚部の内面と密着するようにしている。このため、紙製容器Ｃ１と紙製容器Ｃ２とを嵌合する際には、上段の紙製容器Ｃ２の脚部は、下段の紙製容器Ｃ１の側面部によって僅かに押し広げられるようになっており、紙製容器Ｃ１の側面部の上端が紙製容器Ｃ２の底面部５０の下面に突き当たる位置まで嵌合すると、押し広げられていた上段の紙製容器Ｃ２の脚部が元の状態に復帰するようになっている。したがって、下段の紙製容器Ｃ１は、上段の紙製容器Ｃ１の板紙が有する弾性力によって紙製容器Ｃ１に保持された状態とすることもできる。よって、第二実施態様の紙製容器Ｃでは、上段の紙製容器Ｃ２のみを手で持ってゆっくり持ち上げた際に、下段の紙製容器Ｃ１も一緒に持ち上げられる程度に、紙製容器Ｃ１と紙製容器Ｃ２とを連結した状態とすることも可能である。
【００４９】
第二実施態様の紙製容器Ｃにおける他の構成については、第一実施態様の紙製容器と同様であるが、傾斜角度θ，φ（第一実施態様の紙製容器についての図６，８を参照。）の好適な範囲は、第一実施態様の紙製容器と第二実施態様の紙製容器とで若干異なる。というのも、重箱式の第二実施態様の紙製容器Ｃにおいて、傾斜角度θ，φを大きくしすぎると、下段の紙製容器Ｃ１を上段の紙製容器Ｃ２よりもかなり小さくしなければならなくなり、紙製容器Ｃと紙製容器Ｃとを積み重ねた際の安定性が悪くなるからである。このため、第二実施態様の紙製容器Ｃにおいて、傾斜角度θ，φは、通常、２０°以下とされる。傾斜角度θ，φは、１５°以下であると好ましく、１０°以下であるとより好ましく、７°以下であるとさらに好ましい。傾斜角度θ，φの下限については、第一実施態様の紙製容器と同様である。第二実施態様の紙製容器Ｃにおける他の構成については、第一実施態様の紙製容器と同様であるため、詳しい説明を割愛する。
【００５０】
６．第三実施態様の紙製容器
続いて、第三実施態様の紙製容器について説明する。図１０は、第三実施態様の紙製容器を第一側面部１００に垂直な面で切断した状態を示した断面図である。図１２は、第三実施態様の紙製容器を示した斜視図である。図１３は、第三実施態様の紙製容器を１枚の板紙に展開した状態を上方から見た平面図である。第三実施態様の紙製容器は、図１０に示すように、組立後における第一側面部１００、第二側面部２００、第三側面部３００（図示省略）及び第四側面部４００（図示省略）が、それぞれ底面部５０に対して垂直となる位置から内側に傾いて形成されたものとなっている（図１０における角度θを参照。）。
【００５１】
第三実施態様の紙製容器において、第一側面部１００及び第二側面部２００の傾斜角度θ（図１０を参照。）や、第三側面部３００及び第四側面部４００の傾斜角度φ（図１０では図示せず。第一実施態様の紙製容器についての図６を参照。）の大きさは、特に限定されない。しかし、第三実施態様の紙製容器において、傾斜角度θ，φを小さくしすぎると、側面部を内側に傾斜させる意義が低下してしまう。このため、傾斜角度θ，φは、通常、０．５°以上とされる。傾斜角度θ，φは、１°以上であると好ましく、１．５°以上であるとより好ましい。一方、第三実施態様の紙製容器において、傾斜角度θ，φを大きくしすぎると、脚部が外側に大きく広がるようになり、脚部の強度を維持しにくくなる。また、紙製容器の開口部が狭くなりすぎるおそれもある。このため、傾斜角度θ，φは、通常、１５°以下とされる。傾斜角度θ，φは、１０°以下であると好ましく、５°以下であるとより好ましい。第三実施態様の紙製容器において、傾斜角度θ，φは、概して、第一実施態様の紙製容器よりも小さめに設定される。第三実施態様の紙製容器において、傾斜角度θ，φは、約２°となっている。
【００５２】
ところで、第三実施態様の紙製容器は、第三上側折返部３１０や第四上側折返部４１０の形状が第一実施態様の紙製容器とは上下逆になっている（第三上側折返部３１０又は第四上側折返部４１０における組立後に下側となる縁部が上側となる縁部よりも長くなっている）ため、第三上側折返部３１０や第四上側折返部４１０が起き上がりにくくなっている。しかし、傾斜角度θ，φの大きさによっては、第三実施態様の紙製容器においても、第三上側折返部３１０や第四上側折返部４１０が起き上がるおそれがある。このため、第三実施態様の紙製容器においても、第一実施態様の紙製容器と同様、第三上側凸部３３０，３４０や第四上側凸部４３０，４４０などの構成を採用している。第三実施態様の紙製容器における他の構成については、第一実施態様の紙製容器と同様であるため、詳しい説明を割愛する。
【００５３】
７．第四実施態様の紙製容器
続いて、第四実施態様の紙製容器について説明する。図１４は、第四実施態様の紙製容器Ｃを第一側面部１００に垂直な面で切断した状態を示した断面図である。第四実施態様の紙製容器Ｃは、図１４に示すように、紙製容器Ｃ１と紙製容器Ｃ２とを重ねて構成した重箱式のものとなっている。紙製容器Ｃ１と紙製容器Ｃ２はいずれも、上述した第三実施態様の紙製容器と同様、組立後における第一側面部１００と第二側面部２００と第三側面部３００（図示省略）と第四側面部４００（図示省略）が、それぞれ底面部５０に対して垂直となる位置から内側に傾いて形成されたものとなっている。第四実施態様の紙製容器Ｃも、第二実施態様の紙製容器Ｃと同様、おせち料理などの高級料理を入れるものとして好適に採用することができる。
【００５４】
ところで、第二実施態様の紙製容器Ｃにおいては、図１１に示すように、紙製容器Ｃ１と紙製容器Ｃ２とがいずれも上広がりに形成されていたため、下段の紙製容器Ｃ１は上段の紙製容器Ｃ２よりも寸法を小さくする必要があったが、第四実施態様の紙製容器Ｃにおいては、図１４に示すように、紙製容器Ｃ１と紙製容器Ｃ２がいずれも上狭まり（下広がり）となっているため、下段の紙製容器Ｃ１と上段の紙製容器Ｃ２とを同じ寸法とすることができるようになっている。したがって、第四実施態様の紙製容器Ｃは、第二実施態様の紙製容器Ｃと比較して紙製容器を多段に積み重ねることができるだけでなく、積み重ねた際の安定性を高めることもできるものとなっている。また、下段の紙製容器Ｃ１と上段の紙製容器Ｃ２とで、その内部に収容する仕切材なども同一寸法とすることができるので、仕切材の裁断に用いる刃を使いまわすなど、コストを削減することも可能になる。
【００５５】
第四実施態様の紙製容器Ｃにおいては、第一側面部１００及び第二側面部２００の傾斜角度θ（図１４では図示せず。第三実施態様の紙製容器についての図１０を参照。）や、第三側面部３００及び第四側面部４００の傾斜角度φ（図１４では図示せず。第一実施態様の紙製容器についての図６を参照。）の好適な範囲は、同じく上狭まり（下広がり）の第三実施態様の紙製容器と同じか、小さめとなる。というのも、第四実施態様の紙製容器Ｃにおいて、傾斜角度θ，φを大きくしすぎると、上述したように、下段の紙製容器Ｃ１と上段の紙製容器Ｃ２とを同じ寸法にできなくなるからである。第四実施態様の紙製容器Ｃにおいて、傾斜角度θ，φの値は、紙製容器Ｃ１，Ｃ２の脚部又は側面部の高さや、これらを形成する板紙の厚さなどを考慮して適宜決定する。第四実施態様の紙製容器Ｃにおいて、傾斜角度θ，φの好適な範囲は、第三実施態様の紙製容器と同じか小さめとなる。第四実施態様の紙製容器Ｃにおいて、傾斜角度θ，φは、約２°としている。第四実施態様の紙製容器Ｃにおける他の構成については、第一実施態様の紙製容器、又は第四実施態様の紙製容器Ｃと同様であるため、詳しい説明を割愛する。
【００５６】
８．第五実施態様の紙製容器
最後に、第五実施態様の紙製容器について説明する。図９は、第五実施態様の紙製容器を第一側面部１００に垂直な面で切断した状態を示した断面図である。第五実施態様の紙製容器は、図９に示すように、組立後における第一側面部１００、第二側面部２００、第三側面部３００（図示省略）及び第四側面部４００（図示省略）が、それぞれ底面部５０に対して垂直となる位置から内側に傾いて形成されたものとなっている。すなわち、第一側面部１００及び第二側面部２００の傾斜角度θ（図９を参照。）や、第三側面部３００及び第四側面部４００の傾斜角度φ（図９では図示せず。図６を参照。）が０°となっている。角度θ，φが０°となっていること以外は、既に述べた第一実施態様の紙製容器などと同様であるため、説明を割愛する。
【００５７】
９．紙製容器の用途
本発明の紙製容器は、略箱状の各種容器として用いることができるが、特に、弁当箱として好適に採用することができる。なかでも、本発明の紙製容器は、それに詰める内容物の量を実際よりも多く豪華に見せることができることに加えて、見た目が良く、高級感を醸し出すことも容易であるために、仕出し弁当など、比較的高級な弁当を詰める弁当箱として好適に採用することができる。
【符号の説明】
【００５８】
５０  底面部
５１  第三下側凹部
５２  第三下側凹部
５３  第四下側凹部
５４  第四下側凹部
１００  第一側面部
１０１  被接着部
１０２  接着部
１０３  接着部
１１０  第一下側折曲部
１１１  被接着部
１１２  被接着部
１２０  第一上側折返部
１２１  接着部
１２２  第一上側凹部
１２３  第一上側凹部
１３０  第一連結部
１４０  第一連結部
１５０  第一固定部
１５１  接着部
１６０  第一固定部
１６１  接着部
１７０  第一補強部
１８０  第一補強部
２００  第二側面部
２０１  被接着部
２０２  接着部
２０３  接着部
２１０  第二下側折曲部
２１１  被接着部
２１２  被接着部
２２０  第二上側折返部
２２１  接着部
２２２  第二上側凹部
２２３  第二上側凹部
２３０  第二連結部
２４０  第二連結部
２５０  第二固定部
２５１  接着部
２６０  第二固定部
２６１  接着部
２７０  第二補強部
２８０  第二補強部
３００  第三側面部
３０１  被接着部
３０２  被接着部
３０３  第三下側凸部
３０４  第三下側凸部
３１０  第三上側折返部
３２０  第三上側折曲部
３３０  第三上側凸部
３４０  第三上側凸部
４００  第四側面部
４０１  被接着部
４０２  被接着部
４０３  第四下側凸部
４０４  第四下側凸部
４０５  第四指掛け部
４１０  第四上側折返部
４２０  第四上側折曲部
４３０  第四上側凸部
４４０  第四上側凸部
【図１】
0005508065.tif 000002
【図２】
0005508065.tif 000003
【図３】
0005508065.tif 000004
【図４】
0005508065.tif 000005
【図５】
0005508065.tif 000006
【図６】
0005508065.tif 000007
【図７】
0005508065.tif 000008
【図８】
0005508065.tif 000009
【図９】
0005508065.tif 000010
【図１０】
0005508065.tif 000011
【図１１】
0005508065.tif 000012
【図１２】
0005508065.tif 000013
【図１３】
0005508065.tif 000014
【図１４】
0005508065.tif 000015